(57)【要約】      （修正有）【課題】平坦な足踏み面の単調な連続で退屈になりがちな、また、殆ど限られた筋肉のみが鍛えられる結果となっている現在のウォーキング・ランニングマシーンの在り方を根本的に見直そうとするものである。【解決手段】野道や山道のスケッチ、実物写真、プラスチックによる実態型取りなどで、舗装道路登場以前の理想に近い凸凹道、山中の『木の根岩角』の道の形状をプラスチックやゴム材を持って程よく象り、これらをウォーキング・ランニングマシーンの足踏み板ベルトの表面形として、多種・多様に、また、使用者の実力に対応できるよう多段階のレベルに製作してマシーンに装着する。従来型のマシーンでのトレーニングと同じ時間を費やして、退屈知らずの程よい緊張感が持続可能で、質的に全く異なった高度な心身鍛錬の成果が期待できる。【選択図】図１
2012000424.tif 000002
【特許請求の範囲】
【請求項１】
体育クラブ、スポーツ・ジムなどで活躍しているウォーキング・ランニングマシーン。そのベルト式の足踏み面はいずれも概ね平坦である。ここに提案するのは、常々平坦な道ばかりを歩くことに慣らされている現代人に、路面のあらゆる突然、多様な変化にも対応することの出来る、昔の人々が持っていた本当に鍛えられた健康な足と、それに即応した神経、即断力、脳の働きや、身体のバランス能力などを、手近に造り上げるマシーンの創出である。
このマシーンは、我々の前から姿を消して久しい舗装以前の凸凹道、あるいは山深い『木の根岩角』の道をプラスチック、ゴムなどで象った足踏み面を持つベルトを装着し、これを駆動するに相応しい装置を備えている。
【請求項２】
現行のウォーキング・ランニングマシーンの場合、使用者は往々にして歩行・走行トレーニングの単調さに退屈感を覚える傾向が認められる。今日のマシーンには、すでに歩行面の角度を登り坂や、下り坂のスタイルに変更できるタイプのものが存在するが、この装置の足踏み面の傾きをより急角度にも変更可能、また、多種多様なレベルの異なった諸段階の『木の根岩角』の山道の姿を象ったベルトも装着可能なマシーンにすることを提案する。
使用者は、実力に応じて実際の山道を歩く疑似体験をすることができ、トレーニング中の退屈さを殆ど感じることなく、営々たる努力を、飽きの来ない緊張感と楽しさに充ちて持続することができる。
【発明の詳細な説明】
【技術分野】
【０００１】  本発明は、アスファルト上を歩くのと等しく平坦で、トレーニングが時間とともに退屈になりがちな従来型ウォーキング・マシーンの足踏み面ベルトに代わり、緊張感を持続させながらより多くの筋肉と神経、バランス能力を開発させ、古人が持っていた真に健康で丈夫な足腰の形成に資する装置に関するものである。
【背景技術】
【０００２】  現在、ウォーキング・ランニングマシーンは様々な種類のものが、各種体育施設、スポーツジム等において活躍している。それらマシーンの足踏み面は平坦なベルト状のものに限られ、その平坦な路面の上を一定時間歩行ないし走行するので、使用者は時間とともに次第に退屈さを感じる傾向にあることはよく知られており、ＴＶを付けるなど、そのための対策も講じられている現状がある。また、平坦な足踏み面上の連続歩行や走行は、我々の足腰の一定の筋肉をのみ使わせるが、身体の多種多様な筋肉、神経、身体のバランス、脳の機能などを活発に動員し、鍛錬することにはなり難い欠陥があると考えられる。
【特許文献１】
【発明の開示】
【発明が解決しようとする課題】
【０００３】  現在、各種体育施設、スポーツクラブ等において様々な種類のウォーキング・ランニングマシーンが活躍している。それらのマシーンの足踏み面ベルトは、平坦な形状のものに限られ、その上を一定時間歩行ないし走行するに従って、使用者は次第に退屈さを感じる傾向があることはよく知られており、ＴＶを付けたりなど、そのための対策も講じられている現状がある。また、平坦な足踏み面上の連続歩行や走行は、我々の足腰の或る一定範囲の筋肉をのみ使わせるが、同じ時間を費やしながら、身体のより多種多様な筋肉、神経、身体のバランス、脳の機能、瞬間の判断力などを活発に動員開発し、より総合的に鍛錬・活性化することにはなり難い欠陥があると考えられる。
本発明は、以上の諸問題点を解決し、従来の退屈な単純運動の在り方を一変し、刻々に楽しみつつ営々と自ら倦むことなく努力でき、真に健康な心身形成に一層有効に機能するウォーキング・ランニングマシーンを提供しようとするものである。
【課題を解決するための手段】
【０００４】  上記の通り、従来型ウォーキング・ランニングマシーンが持っている問題点は、いろいろな工夫が凝らされているとは云え、まずは足踏み面が平坦であるため、▲１▼運動が単調な繰り返しとなり、やがて歩行、走行中に退屈を覚えやすくなること、▲２▼運動のため使われる筋肉や身体システムが本来、身体に備わっている多様多種な筋肉、神経、つぼ、感覚器官、脳の作用などのうち、ごく限られた部分になりがちであること、である。これらの課題を解決するため、問題のマシーン足踏み面を、近代的な舗装道路以前の、いわゆる凸凹道の路面や、山深い『木の根岩角』の道を模してプラスチックやゴムで象り、使用者の実力に応じたレベルで、多様多種類多段階のベルト面として提供する。
本発明は、以上の構成よりなって、トレーニング中の退屈さを殆ど感じることなく、営々たる努力を、常に飽きのこない程よい緊張感と楽しさに充ちて持続することができ、また、従来型と全く同じ時間を費やして、路面のあらゆる多種、多様、突然の変化にも対応することのできる、古人が具有していた本当に鍛えられた健康な足の形成と、それに即応した神経、脳の働き、身体のバランス能力などの開発を成就する、手近な道を拓く器具を提供するものである。
【発明の効果】
【０００５】  本発明を使用することによって、ウォーキング・ランニングマシーンは、常に程よい緊張感を保ちつつ懸命に課題達成を心掛けることとなるので、殆ど運動の単調さに退屈感を覚える暇も与えられず楽しむことができ、従来型と同じ時間を費やしながら、画期的に高度で本来的な足腰鍛錬の機能を十全に発揮する装置へと飛躍することとなる。
【発明を実施するための最良の形態】
【０００６】  以下、本発明の実施の形態を説明する。
（イ）このベルトは、その性質上、実際の歩行位置での面の長さも、ベルト自体の長さも、ともに従来型のマシーンの場合よりは長めに製作されるほうが一層有効である。また、回転ローラーに接する内面は無論平坦であるが、ベルト表面はかなりの凸凹、突出陥没があるため、これに対応する必要上、ローラーの径は大きく、ベルトの出入開口部（スリット）も、従来型より大きなものとなる。そのため物品の巻き込みを防ぐ適切なカバーの取り付けが必要である。
（ロ）凸凹道、専ら『木の根岩角』型のベルトを装着したマシーンは、上り坂の角度を変えることが可能なように、角度可変型に制作し、回転数も相応しい速度に加減して使用出来るようにするものとする。身体を保持する前方ハンドルもベルト面の角度上昇にともない高さ調節可能なものとする。
本発明は以上の構成よりなる。
【図面の簡単な説明】
【０００７】
【図１】本発明の斜視図
【図２】本発明のマシーンベルト部分の図
【図３】本発明のマシーンベルト部分の図
【符号の説明】
【０００８】  （１）歩行・走行ベルト面。平面走・歩行から、次第に登り傾斜角度を変えることができる角度可変型とする。（２）身体保持用ハンドル。ベルト面の登り傾斜角度の変更に応じて高さ調節が可能であるよう、高さ可変型とする。（３）自然の凸凹道、山深い『木の根岩角』の道を模して象ちどられた表面を持つベルト。（４）ベルト面の構成は、自然に模したタイプとは別に、自然を抽象化した大中小の半円球形、四角柱形、三角柱形、台形、円柱形、横棒、斜メ棒状等の突起を配置したタイプのベルトも用意する。
【図１】
2012000424.tif 000003
【図２】
2012000424.tif 000004
【図３】
2012000424.tif 000005